(57)【特許請求の範囲】
【請求項１】
99Mo/99mTcターゲットから99mTcを精製する99mTcの精製方法であって、
前記99Mo/99mTcターゲットを酸で溶解して溶解液を得る溶解工程と、
前記溶解液を陰イオン交換カラムに導入し前記陰イオン交換カラムに99Moと99mTcとを吸着させる陰イオン交換カラム吸着工程と、
前記陰イオン交換カラムに吸着された99Moを溶媒で除去する99Mo除去工程と、
前記陰イオン交換カラムに吸着された99mTcを溶媒で抽出する99mTc抽出工程と、
前記99mTc抽出工程で得られた抽出液に所定の処理を施して99mTcを含む溶液を得る99mTc溶液調製工程と、
前記99mTcを含む溶液を酸性アルミナカラムに導入し前記酸性アルミナカラムに99mTcを吸着させる酸性アルミナカラム吸着工程と、
前記酸性アルミナカラムに吸着された99mTcを食塩水で抽出し回収する99mTc回収工程と、を備え、
前記溶解工程の前記溶解液をアルカリ性とし、
前記99mTc溶液調製工程における前記所定の処理は、
前記抽出液から溶媒を蒸発させて除去した後、水を加えて99mTc水溶液とする処理であることを特徴とする99mTcの精製方法。
【請求項２】
99Mo/99mTcターゲットから99mTcを精製する精製方法であって、
前記99Mo/99mTcターゲットを酸で溶解して溶解液を得る溶解工程と、
前記溶解液を陰イオン交換カラムに導入し前記陰イオン交換カラムに99Moと99mTcとを吸着させる陰イオン交換カラム吸着工程と、
前記陰イオン交換カラムに吸着された99mTcを取得する99mTc取得工程と、を備え、
前記溶解工程の前記溶解液をアルカリ性とすることを特徴とする99mTcの精製方法。
【発明の詳細な説明】
【技術分野】
【０００１】
本発明は、99Mo/99mTcターゲットから99mTcを精製する99mTcの精製方法に関するものである。
【背景技術】
【０００２】
従来、このような分野の技術として、下記非特許文献１に記載の99mTcの精製方法が知られている。この精製方法は、次のようなものである。まず、99Mo/99mTcターゲットをH2O2溶液等で溶解しpH2〜3の溶解液を得る（工程ａ）。この溶解液を陰イオン交換カラムに導入すると、99Moと99mTcとが陰イオン交換カラムに捕集される（工程ｂ）。その後、陰イオン交換カラムにNaCl水溶液を導入し99Moをカラムから脱離させ除去する（工程ｃ）。更にその後、陰イオン交換カラムにTBAB/CH2Cl2を導入することで、陰イオン交換カラムから脱離した99mTcの溶液が得られる（工程ｄ）。その後、この溶液をアルミナカラムに導入すると、99mTcがアルミナカラムに吸着される（工程ｅ）。その後、このアルミナカラムに生理食塩水を導入すると、酸性アルミナカラムから脱離した99mTcの溶液が最終的に得られる（工程ｆ）。
【先行技術文献】
【非特許文献】
【０００３】
【非特許文献１】Sankha Chattopadhyay,Malay KantiDas, "A novel technique for the effective concentration of 99mTcfrom a large alumina column loaded with law specific-actovity (n,γ)-produced 99Mo", Applied Radiation and Isotopes,ELSEVIER, 2008, 66, p.1295-1299
【発明の概要】
【発明が解決しようとする課題】
【０００４】
しかしながら、上記の精製方法では、上記の工程ｄで使用したCH2Cl2（ジクロロメタン）が最終生成物の99mTcの溶液中に僅かに残留する。最終的に得られた99mTcが放射性医薬品として用いられる場合には特に、CH2Cl2のような有機溶媒の残留量は可能な限り小さいことが望まれる。また、この種の精製方法にあっては、99mTcの収率の向上も望まれる。
【０００５】
そこで本発明は、精製過程で使用する溶媒の残留量を低減すると共に収率の向上を図ることができる99mTcの精製方法を提供することを目的とする。
【課題を解決するための手段】
【０００６】
本発明の99mTcの精製方法は、99Mo/99mTcターゲットから99mTcを精製する99mTcの精製方法であって、前記99Mo/99mTcターゲットを酸で溶解して溶解液を得る溶解工程と、前記溶解液を陰イオン交換カラムに導入し前記陰イオン交換カラムに99Moと99mTcとを吸着させる陰イオン交換カラム吸着工程と、前記陰イオン交換カラムに吸着された99Moを溶媒で除去する99Mo除去工程と、前記陰イオン交換カラムに吸着された99mTcを溶媒で抽出する99mTc抽出工程と、前記99mTc抽出工程で得られた抽出液に所定の処理を施して99mTcを含む溶液を得る99mTc溶液調製工程と、前記99mTcを含む溶液を酸性アルミナカラムに導入し前記酸性アルミナカラムに99mTcを吸着させる酸性アルミナカラム吸着工程と、前記酸性アルミナカラムに吸着された99mTcを食塩水で抽出し回収する99mTc回収工程と、を備え、前記溶解工程の前記溶解液をアルカリ性とし、99mTc溶液調製工程における前記所定の処理は、前記抽出液から溶媒を蒸発させて除去した後、水を加えて99mTc水溶液とする処理であることを特徴とする。
【０００７】
この精製方法では、溶解工程の溶解液をアルカリ性とし、陰イオン交換カラム吸着工程では、このアルカリ性の溶解液をカラムに導入する。このように、陰イオン交換カラムに導入する溶解液をアルカリ性にすることで、陰イオン交換カラムへの99mTcの吸着率が向上する。その結果、最終的に得られる99mTcが増加し、99mTcの収率が向上する。この精製方法では、99mTc溶液調製工程において、99mTc分離工程で得られた抽出液から溶媒を蒸発させて除去した後、水を加えて99mTc水溶液とする処理を行っている。この処理により、99mTc分離工程で使用した溶媒が除去され水に置換されるので、最終的に得られる99mTcにおいて、溶媒の残留量を低減することができる。また酸性アルミナカラム吸着工程において、酸性アルミナカラムに導入する溶液を99mTc水溶液としたので、99mTcのCH2Cl2溶液を導入する場合に比べて、カラムへの吸着率が向上し、その結果、最終的に得られる99mTcが増加し、99mTcの収率が向上する。
【０００８】
本発明の99mTcの精製方法は、99Mo/99mTcターゲットから99mTcを精製する精製方法であって、前記99Mo/99mTcターゲットを酸で溶解して溶解液を得る溶解工程と、前記溶解液を陰イオン交換カラムに導入し前記陰イオン交換カラムに99Moと99mTcとを吸着させる陰イオン交換カラム吸着工程と、前記陰イオン交換カラムに吸着された99mTcを取得する99mTc取得工程と、を備え、前記溶解工程の前記溶解液をアルカリ性とすることを特徴とする。
【０００９】
この精製方法では、溶解工程の溶解液をアルカリ性とし、陰イオン交換カラム吸着工程では、このアルカリ性の溶解液をカラムに導入する。このように、陰イオン交換カラムに導入する溶解液をアルカリ性にすることで、陰イオン交換カラムへの99mTcの吸着率が向上する。その結果、最終的に得られる99mTcが増加し、99mTcの収率が向上する。
【００１０】
本発明の99mTcの精製方法は、99Mo/99mTcターゲットから99mTcを精製する精製方法であって、99Mo/99mTcターゲットの溶解液を吸着させたカラムから溶媒にて99mTcを分離抽出した抽出液を準備する工程と、抽出液に所定の処理を施して99mTcを含む溶液を得る99mTc溶液調製工程と、を備え、99mTc溶液調製工程における所定の処理は、抽出液から溶媒を蒸発させて除去した後、水を加えて99mTcを含む水溶液とする処理であることを特徴とする。
【００１１】
この精製方法では、99mTc溶液調製工程において、抽出液から溶媒を蒸発させて除去した後、水を加えて99mTcを含む水溶液とする処理を行っている。この処理により、抽出液に含まれる溶媒が除去され水に置換されるので、最終的に得られる99mTcにおいて、溶媒の残留量を低減することができる。
【発明の効果】
【００１２】
本発明によれば、精製過程で使用する溶媒の残留量を低減すると共に収率の向上を図ることができる99mTcの精製方法を提供することができる。
【図面の簡単な説明】
【００１３】
【図１】本発明の一実施形態に係る精製方法の各工程を順に示す図である。
【図２】本発明の一実施形態に係る精製方法の各工程を順に示す図である。
【図３】本発明の一実施形態に係る精製方法の各工程を順に示す図である。
【図４】本発明者らが行った実験１の分離条件と分離精製効率とを示す表である。
【図５】本発明者らが行った実験２の分離条件と分離精製効率とを示す表である。
【発明を実施するための形態】
【００１４】
以下、図面を参照しつつ本発明に係る99mTcの精製方法の一実施形態について詳細に説明する。
【００１５】
本実施形態に係る99mTc（99m-テクネチウム）の精製方法は、以下に説明する溶解工程、陰イオン交換カラム吸着工程、99Mo除去工程、99mTc抽出工程、99mTc溶液調製工程、酸性アルミナカラム吸着工程、及び99mTc回収工程を含んでいる。
【００１６】
（溶解工程）
まず、99Mo/99mTcターゲットを準備する。99Mo/99mTcターゲットは、例えば、金属Mo（モリブデン）ターゲットに、サイクロトロンで中性子線を照射し、Moの一部を放射化させることで生成される。次に、図１（ａ）に示すように、準備した99Mo/99mTcターゲット１１に、塩酸、過酸化水素水を加えて溶解する。更にNaOH水溶液を加えて溶解液のpHを調整する。溶解液は、アルカリ性（pH7.0以上）とする。好ましくは、溶解液のpHをpH11以上とする。なお、NaOH水溶液を加えて溶解液を最終的にpH7.0以上とすればよいので、上記の過酸化水素水の濃度を高くすることも可能である。その結果、99Mo/99mTcターゲット１１の溶解速度が向上し、溶解工程の時間を短縮することもできる。
【００１７】
（陰イオン交換カラム吸着工程）
次に、図１（ｂ）に示すように、陰イオン交換樹脂を充填したカラム（陰イオン交換カラム）１３を準備する。陰イオン交換樹脂としては、例えば、ダウ・ケミカル社製のDowex 1X8  等が好適に用いられる。準備した陰イオン交換カラム１３に、上記溶解工程で得られた溶解液を導入する。そうすると、陰イオン交換カラム１３内に99Moと99mTcとが吸着される。
【００１８】
（99Mo除去工程）
次に、図１（ｃ）に示すように、上記陰イオン交換カラム１３にMo脱離液として0.9wt%のNaCl水溶液（生理食塩水）を導入する。そうすると、陰イオン交換カラム１３に吸着されていた99Moが脱離し除去される。ここでは、陰イオン交換カラム１３に吸着された99mTcは、ほとんど脱離せずに陰イオン交換カラム１３内に留まる。
【００１９】
（99mTc抽出工程）
次に、図２（ａ）に示すように、上記陰イオン交換カラム１３に、Tc脱離液としてTBAB（テトラブチルアンモニウムブロマイド）/CH2Cl2を導入する。そうすると、陰イオン交換カラム１３に留まっていた99mTcが抽出され、CH2Cl2と一緒に陰イオン交換カラム１３から排出される。すなわち、陰イオン交換カラム１３の出口からは、99mTcのCH2Cl2溶液が、抽出液として排出される。また、抽出液には、TBABが僅かに混入している。なお、ここで用いる溶媒TBAB/CH2Cl2のTBAB濃度を適切に調整することにより、陰イオン交換カラム１３に吸着されていた99mTcの脱離能を向上させ、抽出液中に回収される99mTcの量を増加させることができる。
【００２０】
（99mTc溶液調製工程）
次に、図２（ｂ）に示すように、上記99mTc抽出工程で得られた抽出液からCH2Cl2を蒸発させ除去することで、抽出液を乾固させる。その後、この乾固物に水を加えて99mTc水溶液とする。この水溶液には、TBABと99mTcとが含まれている。
【００２１】
（酸性アルミナカラム吸着工程）
次に、図３（ａ）に示すように、酸性アルミナ粉末を充填したカラム（酸性アルミナカラム）１５を準備する。酸性アルミナ粉末としては、例えば、和光純薬工業（株）製の「Alumina A」等が好適に用いられる。準備した酸性アルミナカラム１５に、上記99mTc溶液調製工程で得られた99mTc水溶液を導入する。そうすると、酸性アルミナカラム１５に99mTcが吸着される。ここでは、99mTcの水溶液が用いられているので99mTcがより陽イオン化し易く、酸性アルミナカラムに対して99mTcが吸着され易いと考えられる。
【００２２】
（99mTc回収工程）
次に、図３（ｂ）に示すように、上記酸性アルミナカラム１５に、0.9wt%のNaCl水溶液（生理食塩水）を導入する。そうすると、酸性アルミナカラム１５中の99mTcが抽出され、最終的に精製された99mTcが生理食塩水に溶解した状態で回収される。
【００２３】
続いて、以上説明した精製方法による作用効果について説明する。この精製方法では、溶解工程の溶解液をアルカリ性とし、陰イオン交換カラム吸着工程では、このアルカリ性の溶解液をカラムに導入する。このように、陰イオン交換カラムに導入する溶解液をアルカリ性にすることで、陰イオン交換カラムへの99mTcの吸着率が向上する。その結果、最終的に得られる99mTcが増加し、99mTcの収率が向上する。
【００２４】
また酸性アルミナカラム吸着工程において、酸性アルミナカラムに導入する溶液を99mTc水溶液としたので、99mTcのCH2Cl2溶液を導入する場合に比べて、カラムへの吸着率が向上し、その結果、最終的に得られる99mTcが増加し、99mTcの収率が向上する。すなわち、99mTc水溶液が用いられているので99mTcがより陽イオン化し易く、酸性アルミナカラムに対して99mTcが吸着され易いと考えられる。
【００２５】
また、この精製方法では、99mTc抽出工程においてCH2Cl2といった有機溶媒が使用される。精製工程で使用されるこの種の有機溶媒は、最終的には可能な限り除去されることが望まれる。すなわち、最終的に得られる精製済みの99mTcは放射性医薬品として使用されるものであるので、CH2Cl2のような有機溶媒の残留量は可能な限り小さいことが望まれる。これに対して、上記の本実施形態の精製方法では、99mTc溶液調製工程において、抽出液からCH2Cl2を蒸発させて除去した後、水を加えて99mTc水溶液とする処理を行っている。この処理により、99mTc分離工程で使用したCH2Cl2が除去され水に置換されるので、最終的に得られる99mTcにおいて、CH2Cl2の残留量を低減することができる。
【００２６】
以上、本発明の一実施形態について説明したが、本発明は、上記実施形態に限られるものではなく、各請求項に記載した要旨を変更しない範囲で変形したものであってもよい。
【００２７】
続いて、本発明者らが行った実験について説明する。
【００２８】
〔実験１〕
実験１では、本実施形態の精製方法に従って、99mTcの精製を行った。そして、各工程の分離前と分離後の99mTcの放射能をGe検出器で測定し、分離後／分離前の値を「分離精製効率」（％）として表した。実験１には、下に説明する実験１−１〜実験１−３が含まれる。
【００２９】
（実験１−１）
実験１−１では、各工程の分離条件を次の通りとした。
溶解工程で準備した99Mo/99mTcターゲット１１は、金属Moターゲット（寸法：20mmx20mmx1mmを１枚、質量：0.7ｇ）に、サイクロトロンの中性子線を照射して得られたものである。中性子線の照射条件は、照射電流＝１μＡ、照射時間＝１０分である。
【００３０】
溶解工程では、99Mo/99mTcターゲット１１に対し、１Ｎの塩酸2mLと過酸化水素水0.4mLとを加えてターゲットを溶解し、更に５ＮのNaOH水溶液2mLを加えて溶解液のpHをpH１１以上とした。
陰イオン交換カラム吸着工程で用いた陰イオン交換樹脂は、ダウ・ケミカル社製のDowex1X8であり、この陰イオン交換樹脂0.4gを容器に充填して陰イオン交換カラム１３とした。カラムの前処理として、生理食塩水5mLと純水5mLを通過させた。
99Mo除去工程では、99Mo 脱離液として0.9wt%のNaCl水溶液3mLを用いた。
99mTc抽出工程では、99mTc 脱離液としてTBAB/CH2Cl2を5mL用いた。TBAB濃度は0.2mg/mlとした。
酸性アルミナカラム吸着工程で用いた酸性アルミナ粉末は、和光純薬工業（株）製の「AluminaA」であり、この酸性アルミナ粉末1.5gを容器に充填して酸性アルミナカラム１５とした。
99mTc回収工程では、0.9wt%のNaCl水溶液5mLを用いた。
【００３１】
（実験結果１−１）
続いて、実験１−１の結果を説明する。  
陰イオン交換カラム吸着工程における分離精製効率は、９５％であった。すなわち、陰イオン交換カラム吸着工程においては、溶解液に含まれる99mTcの９５％が陰イオン交換カラム１３に吸着された。
99Mo除去工程における分離精製効率は、９５％以上であった。すなわち、99Mo除去工程においては、陰イオン交換カラム１３に吸着されていた99mTcの９５％以上が脱離せずに陰イオン交換カラム１３内に留まった。
99mTc抽出工程における分離精製効率は、８４％であった。すなわち、99mTc抽出工程においては、陰イオン交換カラム１３に留まっていた99mTcの８４％が抽出され、CH2Cl2と一緒に陰イオン交換カラム１３から排出された。
酸性アルミナカラム吸着工程における分離精製効率は、９５％であった。すなわち、酸性アルミナカラム吸着工程においては、99mTc溶液調製工程で得られた99mTc水溶液中の99mTcのうち９５％が、酸性アルミナカラム１５に吸着された。
99mTc回収工程における分離精製効率は９３％であった。すなわち、99mTc回収工程においては、酸性アルミナカラム１５に吸着されていた99mTcの９３％が生理食塩水と一緒に酸性アルミナカラム１５から排出された。
【００３２】
（実験１−２及び実験１−３）
続いて、実験１−２では、溶解工程において加えるNaOH水溶液の量を変えて溶解液のpHをpH７．０とした。それ以外の分離条件は実験１−１と同様である。同様にして、溶解液のpHを変えながら実験１−３を行った。
【００３３】
実験１（実験１−１〜実験１−３）の分離条件は、まとめて表１（図４）に示す。
【００３４】
〔実験２〕
続いて、本実施形態の精製方法と比較するため、実験２では、前述の非特許文献１に記載の精製方法に従って、99mTcの精製を行った。そして、実験１と同様に、各工程の分離前と分離後の99mTcの放射能をGe検出器で測定し、分離後／分離前の値を「分離精製効率」（％）として表した。実験２には、下に説明する実験２−１及び実験２−２が含まれる。
【００３５】
（実験２−１）
実験２−１では、各工程の条件を次の通りとした。
工程ａで準備した99Mo/99mTcターゲットは、金属Moターゲット（寸法：20mmx20mmx1mm、質量：0.07ｇ）に、サイクロトロンの中性子線を照射して得られたものである。中性子線の照射条件は、照射電流＝１μＡ、照射時間＝１０分である。
工程ａでは、99Mo/99mTcターゲットに対し、１Ｎの塩酸2mLと過酸化水素水0.4mLとを加えてターゲットを溶解し、更に５ＮのNaOH水溶液0.2mLを加えて溶解液のpHをpH２．０とした。
工程ｂで用いた陰イオン交換樹脂は、ダウ・ケミカル社製のDowex1X8であり、この陰イオン交換樹脂0.4gを容器に充填して陰イオン交換カラムとした。カラムの前処理として、生理食塩水5mLと純水5mLを通過させた。
工程ｃでは、0.9wt%のNaCl水溶液3mLを用いた。
工程ｄでは、TBAB/CH2Cl2を5mL用いた。TBAB濃度は0.2mg/mlとした。
工程ｅで用いたアルミナ粉末は、中性アルミナ粉末であり、和光純薬工業（株）製の「AluminaN」であり、このアルミナ粉末1.5gを容器に充填してアルミナカラムとした。
99mTc回収工程では、0.9wt%のNaCl水溶液5mLを用いた。
【００３６】
（実験２−２）
実験２−２では、各工程の条件を次の通りとした。
工程ａで準備した99Mo/99mTcターゲットは、金属Moターゲット（寸法：6mmx6mmx0.1mmを６枚、質量：0.1627ｇ）に、サイクロトロンの中性子線を照射して得られたものである。中性子線の照射条件は、照射電流＝１μＡ、照射時間＝１０分である。
工程ａでは、99Mo/99mTcターゲットに対し、１Ｎの塩酸8mLと過酸化水素水1.6mLとを加えてターゲットを溶解し、更に５ＮのNaOH水溶液2mLを加えて溶解液のpHをpH１１とした。
工程ｂで用いた陰イオン交換樹脂は、ダウ・ケミカル社製のDowex1X8であり、この陰イオン交換樹脂0.2gを容器に充填して陰イオン交換カラムとした。カラムの前処理として、生理食塩水5mLと純水5mLを通過させた。
工程ｃでは、0.9wt%のNaCl水溶液3mLを用いた。
工程ｄでは、TBAB/CH2Cl2を5mLずつ３回に分けて合計15mL導入した。TBAB濃度は0.2mg/mlとした。
工程ｅで用いたアルミナ粉末は、中性アルミナ粉末であり、和光純薬工業（株）製の「AluminaN」であり、このアルミナ粉末1.5gを容器に充填してアルミナカラムとした。
99mTc回収工程では、0.9wt%のNaCl水溶液5mLを用いた。
【００３７】
実験２（実験２−１〜実験２−２）の分離条件は、まとめて表２（図５）に示す。
【００３８】
〔実験結果の考察〕
実験２では、工程ｂにおける分離精製効率は最大でも８４．９％であった。これに対し、実験１では、陰イオン交換カラム吸着工程における分離精製効率はいずれも９５％以上であった。よって、陰イオン交換カラムに導入する溶解液をアルカリ性にすることで、陰イオン交換カラムへの99mTcの吸着率が向上し、その結果、最終的に得られる99mTcが増加し、99mTcの収率が向上することが判った。
【００３９】
更に、実験１−１〜１−３を比較すると、溶解液のpHが高くなるほど、陰イオン交換カラム吸着工程における分離精製効率が向上することが判った。そして、十分な分離精製効率を得るために、溶解液のpHをpH１１以上とすることが特に好ましいことが判った。
【００４０】
また実験２では、工程ｆにおける分離精製効率は最大でも１０％未満であった。すなわち、アルミナカラムへの99mTcの吸着率が極めて低い。これに対し、実験１では、酸性アルミナカラム吸着工程における分離精製効率はいずれも９５％以上であった。よって、酸性アルミナカラムに導入する溶液を99mTc水溶液とすることで、99mTcのTBAB/CH2Cl2溶液を導入する場合に比べて、カラムへの吸着率が向上し、その結果、最終的に得られる99mTcが増加し、99mTcの収率が向上することが判った。
【００４１】
以上のとおり、実験１，２によれば、本実施形態の精製方法（実験１の精製方法）では、非特許文献１の精製方法（実験２の精製方法）に比べて、99mTcの収率が向上することが判った。
【符号の説明】
【００４２】
１１…99Mo/99mTcターゲット、１３…陰イオン交換カラム、１５…酸性アルミナカラム。
【図１】
0006000600.tif 000002
【図２】
0006000600.tif 000003
【図３】
0006000600.tif 000004
【図４】
0006000600.tif 000005
【図５】
0006000600.tif 000006